(57)【要約】身体排泄物を吸収するのに使用するための衣類（２０）。この衣類は衣類を着用者の腰周りに固定するための固定システムを備えている。この固定システムは二つの外向きに面する縁（４０；４２）を持ち、それらの間に角度（α）を形成する第一固定装置（３６）を含む。角度（α）は４５°から８５°、好ましくは５０°から８０°、より好ましくは５５°から７５°そして最も好ましくは６０°から７０°である。【選択図】図２
2004528072.tif 000002
【特許請求の範囲】
【請求項１】
身体排泄物を吸収するのに使用するための衣類（２０）であって、前記衣類が：
周縁（２２）；
衣類を第一横半分体（２４）と第二横半分体（２６）に分割する縦軸（Ｌ）；
衣類を第一端部（２８）と第二端部（３０）に分割する、前記縦軸に垂直な横軸（Ｔ）；
衣類を着用者の腰周りに固定するための固定システム；
を持ち、固定システムが衣類の前記第一端部（２８）に設けられた第一固定装置（３６）を持ち、前記第一固定装置が前記第一及び前記第二横半分体（２４；２６）の少なくとも一つの外方縁部（３８）に設けられており、かつ二つの外向きに面する縁（４０；４２）を含み、それらの縁間に角度（α）を形成するものにおいて、
前記角度（α）が４５°から８５°、好ましくは５０°から８０°、より好ましくは５５°から７５°、最も好ましくは６０°から７０°であることを特徴とする衣類（２０）。
【請求項２】
前記二つの外向きに面する縁の第一の縁（４０）が前記横軸（Ｔ）に向いて面しており、前記二つの外向きに面する縁の第二の縁（４２）が前記横軸から離れる方に面しており、前記第一の縁（４０）が前記横軸に対して０°から５０°、好ましくは１５°から４０°、より好ましくは２５°から３５°の角度（β）を張ることを特徴とする請求項１に記載の衣類（２０）。
【請求項３】
前記二つの外向きに面する縁（４０，４２）が前記外方縁部（３８）の衣類の周縁（２２）に実質的に平行に走ることを特徴とする請求項１または２に記載の衣類（２０）。
【請求項４】
前記二つの外向きに面する縁（４０，４２）が衣類の周縁（２２）の２．０ｃｍ以内、好ましくは１．５ｃｍ以内に位置することを特徴とする請求項１から３のいずれか一つに記載の衣類（２０）。
【請求項５】
前記第一固定装置（３６）が固定材料の二つの別個の断片（４４，４６）を含むことを特徴とする請求項１から４のいずれか一つに記載の衣類（２０）。
【請求項６】
固定材料の前記断片（４４，４６）が６．０ｃｍより大きくない、好ましくは３．５ｃｍより大きくない、最も好ましくは２．０ｃｍより大きくない距離（Ｘ）により分離されていることを特徴とする請求項５に記載の衣類（２０）。
【請求項７】
前記二つの外向きに面する縁（４０，４２）の仮想延長部が前記周縁から１．０ｃｍから１０．０ｃｍ、好ましくは２．５ｃｍから５．０ｃｍの距離の前記周縁（２２）の外側に位置する点（Ｐ）で交差することを特徴とする請求項１から６のいずれか一つに記載の衣類（２０）。
【請求項８】
身体排泄物を吸収するのに使用するための衣類（２０）であって、前記衣類が：
周縁（２２）；
衣類を第一横半分体（２４）と第二横半分体（２６）に分割する縦軸（Ｌ）；
衣類を第一端部（２８）と第二端部（３０）に分割する、前記縦軸に垂直な横軸（Ｔ）；
衣類を着用者の腰周りに固定するための固定システム；
を持ち、固定システムが衣類の前記第一端部（２８）に設けられた第一固定装置（３６）を持ち、前記第一固定装置が前記第一及び前記第二横半分体の少なくとも一つの外方縁部（３８）に設けられており、かつ外向きに面する縁（５０）を含むものにおいて、
前記外向きに面する縁（５０）が、前記外向きに面する縁上に二つの点が存在し、それらの点に対する接線が９０°より大きくない、好ましくは６０°より大きくない、最も好ましくは３０°より大きくない角度（γ）を張るように曲がっていることを特徴とする衣類（２０）。
【請求項９】
前記固定システムがフックとループの固定システムであることを特徴とする請求項１から８のいずれか一つに記載の衣類（２０）。
【請求項１０】
前記第一固定装置（３６）がフック固定材料を含むことを特徴とする請求項９に記載の衣類（２０）。
【請求項１１】
前記固定システムが前記第一固定装置に相補的な第二固定装置（５２）を含み、前記第二固定装置が衣類の前記第二端部（３０）に配置されており、前記第二固定装置が前記衣類の前記第二端部の実質的に全幅に渡って延びるように前記第二固定装置がループ材料の少なくとも一つのパネル（５４）を含んでいることを特徴とする請求項１０に記載の衣類（２０）。
【請求項１２】
前記衣類の前記第二端部（３０）が着用者の腹部の一部を覆うのに適合していることを特徴とする請求項１から１１のいずれか一つに記載の衣類（２０）。
【請求項１３】
前記衣類がおむつカバーであることを特徴とする請求項１から１２のいずれか一つに記載の衣類（２０）。
【請求項１４】
前記衣類が使い捨ておむつであることを特徴とする請求項１から１２のいずれか一つに記載の衣類（２０）。
【請求項１５】
衣類を着用者の腰周りに固定するためのフック材料を含む鋭角に角度を付けられた固定装置の使用。
【発明の詳細な説明】
【０００１】
技術分野
本発明は請求項１の前文に記載の身体排泄物を吸収するのに使用するための衣類及び請求項８の前文に記載の身体排泄物を吸収するのに使用するための衣類に関する。
【０００２】
発明の背景
身体排泄物を吸収するのに使用するための衣類は幼い子供並びに失禁者により着用されることができる。これらの衣類は着用者の腰周りに固定される。かかる衣類は一般的に二つの形式：すなわち使い捨て衣類からなる第一形式と洗濯可能で再使用できる衣類からなる第二形式に分割されることができる。第一形式の衣類は一般的に使い捨ておむつと呼ばれ、これらは通常液体透過性上面シートと液体不透過性背面シートとの間に挟まれた吸収性詰綿を含む。使い捨ておむつは汚れが検出された後またはその吸収容量が達成されたら捨てられることを意図している。洗濯可能で再使用できる衣類は一般的に使い捨て吸収性挿入体と一緒に使用されることを意図している。かかる衣類は通常おむつカバーと呼ばれ、使い捨て挿入体はおむつカバーにより着用者の身体の股領域の所定場所に保持される。おむつカバーは再使用され、必要なときは洗濯されるが、使い捨て挿入体は汚れたら捨てられる。
【０００３】
種々な形式の固定システムが上で識別された二つの形式の衣類を着用者の腰周りに固定するために採用されている。かかる形式の固定システムは一般的にボタンとボタン穴、押しスタッドとポッパー（スナップ）またはフックとループのシステムのような機械的なものかまたは接着剤のいずれかである。固定システムの形式にかかわらず、衣類が着用者の腰周りに容易に固定され、一方同時に使用時に適切に固定されることが必要である。特に活発な成人により着用されることを意図しているおむつカバーはかなりの力に曝されるかもしれないので、固定システムは激しい活動時でさえ確実に機能するように設計されねばならない。
【０００４】
おむつカバーの一例がＪＰ−Ａ−８１３１４６９に記載されている。この日本抄録の図面から収集されることができるように、このおむつカバーは前方パネルを備え、その上に後方パネルの横延長部が引っ張られ、固定システムを介して前方パネルに固定される。この固定システムは外観上は各横延長部上に固定材料の二つの比較的幅広に間隔を置いて離れたストリップを含む。
【０００５】
本出願人はＴｅｎａ  Ｃｏｖｅｒの商標名で一連のおむつカバーを製造していた。添付図面１に示すように、Ｔｅｎａ  Ｃｏｖｅｒおむつカバー１０は着用者に面するその表面１１上にカバーの後方パネル１４の各横延長部１３上に設けられた第一固定装置１２を含む固定システムを備えている。第一固定装置はおむつカバーの縦軸Ｌに実質的に平行な線内に配置された三つのフック材料の断片を含む。カバーの前方パネル１５の外表面はループ材料の領域を備えており、それにフック材料の断片が固定されることができる。
【０００６】
Ｔｅｎａ  Ｃｏｖｅｒの固定システムは使用時に適切に固定されるように示されているが、ある使用者にはフック材料の断片が比較的幅広に間隔を置いて離れているという事実のため幾らか不便であると思われる。これはおむつカバーの横延長部をしわやひだが形成されるのを防ぐために縦方向に十分に緊張状態を維持しながら全ての三つの断片をループ材料と同時に係合させることが困難であるかもしれないことを意味する。従って、しわやひだの形成を防ぐために、使用者は一般的にまず上方または下方断片のいずれかを係合し、次いで続けて横延長部に縦軸の方向の緊張を付与しながら残りの断片を係合させねばならない。
【０００７】
発明の概要
従って本発明の目的は、固定するときに適切な安全性を維持しながら、使用者のために固定するのがより便利である、身体排泄物を吸収するのに使用するための衣類を提供することである。
【０００８】
この目的は本発明により請求項１に請求された衣類によりかつ請求項８に請求された衣類により達成される。
【０００９】
本発明によれば、第一固定装置の外向きに面する縁（複数）が鋭角を形成するので、固定装置のより緻密な配置が固定安全性を妥協することなく達成されることができる。より緻密な配置は、固定装置が配置されている衣類の領域が片手でより容易に掴まれることができ、かつ第一固定装置から遠い衣類の端部に設けられた相補的な第二固定装置に適用されることができることを意味する。
【００１０】
本発明による衣類の有利な実施例が従属請求項に詳述されている。
【００１１】
図面の簡略説明
この発明が例としてのみかつ添付図面に示された実施例に関して以下により詳細に説明されるであろう。図面において：
図１は身体排泄物を吸収するのに使用するための従来技術の衣類の概略平面図であり；
図２は本発明による身体排泄物を吸収するのに使用するための衣類の第一実施例の概略平面図であり；そして
図３は本発明による衣類の第一固定システムのための代替設計の概略平面図である。
【００１２】
好適実施例の詳細な説明
本発明の好適実施例を述べる前に、図１に示した従来技術の衣類の固定装置をより詳細に考察することが有用であるかもしれない。
【００１３】
即ち、この第一固定装置１２は第一の外向きに面する縁１６と第二の外向きに面する縁１７を備える。これらの縁は互いに直角に配置されている。外向きに面する縁は一般的に衣類の周縁に平行であり周縁にきわめて接近して位置しており、それにより後方パネル１４の横延長部１３の外方縁部に沿って最少量の非固定材料があることを確実とする。横延長部１３が縦方向にかなりの延長部を持つこと、すなわち固定装置の第一の外向きに面する縁１６に隣接した周縁の部分が典型的に１５ｃｍと２０ｃｍの間の長さを持つことが図１から明らかであろう。
【００１４】
さて図２と３に戻ると、本発明の衣類は概括的に参照番号２０により示されており、周縁２２を持つ。縦軸Ｌが衣類２０を第一横半分体２４と第二横半分体２６に分割する。縦軸に垂直な横軸Ｔが更に衣類を第一端部２８と第二端部３０に分割する。衣類２０は使用時に着用者に面する内向きに面する表面３２と、使用時に着用者から離れる方に面する外向きに面する表面３４を持つ。衣類が使い捨ておむつの形であるとき、内向きに面する表面は従って液体透過性対面シートにより構成されるであろうし、外向きに面する表面は液体不透過性背面シートにより構成されるであろう。
【００１５】
衣類が着用者の腰周りに固定されることができるように、衣類は固定システムを備えている。固定システムはボタンとボタン穴、押圧スタッドとポッパー（スナップ）またはフックとループのシステムのような機械的システムか接着剤のいずれかであることができる。以下により詳細に述べられるように、本発明の好適実施例において固定システムはフックとループの装置を含む。固定システムの実際の形式に関係なく、それは衣類の第一端部２８に設けられた概括的に参照番号３６により示された第一固定装置を含む。特に、第一固定装置３６は第一及び第二横半分体２４，２６の少なくとも一つの外方縁部３８に設けられる。外方縁部３８は衣類の周縁２２から内向きに５ｃｍまで延びる衣類の領域として規定されることができる。第一固定装置はもし第一固定装置の少なくとも一部分がこの領域内に配置されるならこの外方縁部に設けられているものとみなされるべきである。図２に示されたように、第一固定装置３６は二つの外向きに面する縁４０，４２を含み、それらの間に角度αを形成する。表現“外向きに面する縁”は衣類の周縁２２の一部に略追従するそれらの縁を意味する。従って、外向きに面する縁の第一の縁４０は横軸Ｔの方に向いており、一方外向きに面する縁の第二の縁４２は横軸Ｔから離れる方を向いている。有利には、外方縁部３８に沿った非固定材料の過剰量を避けるために、第一固定装置の二つの外向きに面する縁４０，４２は衣類の周縁２２の２．０ｃｍ以内に、好ましくは１．５ｃｍ以内に位置すべきである。
【００１６】
本発明によれば、二つの外向きに面する縁４０，４２間の角度αは４５°から８５°、好ましくは５０°から８０°、より好ましくは５５°から７５°そして最も好ましくは６０°から７０°である。外向きに面する縁４０，４２をこの態様で角度を付けることにより、より緻密な配置が達成される。更に、外向きに面する縁４０，４２を外方縁部３８内の衣類の周縁２２に実質的に平行に走らすことにより、衣類はこの領域内で一点に向けて先細りとなり、それにより使用者が片手で外方縁部全体を掴むことを容易とするであろう。
【００１７】
この発明の好適実施例において、二つの外向きに面する縁の第一の縁４０は横軸Ｔに対して（または少なくとも示されるように横軸Ｔに平行な線に対して）０°から５０°、好ましくは１５°から４０°、更に好ましくは２５°から３５°の角度βを張る。理論に拘束されることなく、この態様で第一の縁４０に角度を付けることにより、第一固定装置の少なくとも一部は脚領域内で衣類の周縁に沿って発生する張力と整合されることができ、それによりこれらの力をより良く吸収することができると考えられる。
【００１８】
図２において、第一固定装置３６は固定材料の二つの別個の断片４４，４６を持つものとして示されている。もちろんこの発明が上述の態様で角度を付けられた二つの外向きに面する縁を持つ単一の断片を用いて実行されることができることは理解されるべきである。固定材料の二つまたはそれ以上の断片が用いられる場合、断片４４，４６は６．０ｃｍより大きくない、好ましくは３．５ｃｍより大きくない、最も好ましくは２．０ｃｍより大きくない距離Ｘにより分離されるべきである。言い換えれば、隣接断片上の近接点間の最も接近した距離は上に列挙した距離より大きくあるべきでない。
【００１９】
角度αの設置のため、二つの外向きに面する縁４０，４２の仮想の延長部は周縁２２の外部に位置する点Ｐで交差するであろう。好ましくは、点Ｐは周縁２２から１．０ｃｍから１０．０ｃｍ、より好ましくは２．５ｃｍから５．０ｃｍの距離に位置する。
【００２０】
上述の実施例と関連する利点は、第一固定装置が二つの角度を付けた縁に対向するものとして曲がった外向きに面する一つの縁を与える実施例により享有されることができる。従って、図３は本発明の代替実施例を示し、そこでは簡潔さのため、衣類は第一横半分体２４では第一固定装置の第一形状を持ち、第二横半分体２６では第一固定装置の第二形状を持って示されている。両方の場合において、第一固定装置は外向きに面する縁５０を持つ固定材料の単一断片４８として示されている。第一形状は円の弓形であり、一方第二形状は実質的に一定の幅のものである。この発明によれば、実際の形状に関係なく、外向きに面する縁５０は外向きに面する縁上に二つの点が存在し、それらの点に対する接線が９０°より大きくない、好ましくは６０°より大きくない、そして最も好ましくは３０°より大きくない角度γを張るように曲がっている。
【００２１】
有利には、例示の実施例の第一固定装置はフック固定材料を含む。フック材料の断片４４，４６，４８は少なくとも３２０ｇ／ｍ２の重量を持つ１００％ポリエステルのベーステープとモノフィラメントフックを含むことができる。第一固定装置３６は好ましくはフック材料を含むので、固定システムはまた第一固定装置に対し相補的な、概括的に参照番号５２により示された第二固定装置を含まねばならない。衣類が着用者の腰周りに衣類の第一端部２８を直接第二端部３０に固定することにより固定される場合、第二固定装置５２は衣類の第二端部３０上に配置される。従って、第二固定装置はループ材料の少なくとも一つのパネル５４を含む。かかる材料は約２１０ｇ／ｍ２の基本重量を持つ１００％ポリアミドであることができる。好ましくは、かつ図面に示されるように、パネル５４は衣類２０の第二端部３０の実質的に全幅に渡って延びる。これに代えて、第二固定装置５２は適当には衣類の第二端部３０の上に分配されたループ材料の複数のパネルからなることができ、それにより大きさの異なる着用者に衣類を適合させることができる。
【００２２】
固定を容易とするために、衣類の第二端部３０は着用者の腹部の一部を覆うように適合されることができる。言い換えれば、第一固定装置３６は使用時に着用者のでん部を覆うであろう端部３２上の衣類の内向きに面する表面３２上に配置され、第二固定装置５２のループ材料のパネル５４は使用時に着用者の腹部の一部を覆う端部３０上の衣類の外向きに面する表面３４上に配置される。従って、衣類を固定するために、衣類は意図した着用者の脚間に引っ張られ、第二端部３０が着用者の腹部に対して保持され、第一固定装置３６が配置されている第一端部２８の領域が着用者の腰周りに引っ張られ、第一固定装置３６が第二固定装置と係合させられる。当然、固定作業は立っているまたはあお向けに横たわっている着用者により実施されることができる。
【００２３】
本発明の基礎をなす原理は使い捨ておむつ及びおむつカバーの両方で実行されることができることは理解されるべきである。更に、この発明が純粋に例として上述され図面に示されたことは理解されるべきである。従って、当業者は本発明が添付請求項の範囲内で変更されることができることを認識するであろう。例えば、フックとループの材料の断片の相対位置は入れ替えられることができる。
【図面の簡単な説明】
【００２４】
【図１】図１は身体排泄物を吸収するのに使用するための従来技術の衣類の概略平面図である。
【図２】図２は本発明による身体排泄物を吸収するのに使用するための衣類の第一実施例の概略平面図である。
【図３】図３は本発明による衣類の第一固定システムのための代替設計の概略平面図である。
【図１】
2004528072.tif 000003
【図２】
2004528072.tif 000004
【図３】
2004528072.tif 000005
【国際公開パンフレット】
2004528072.tif 000006
2004528072.tif 000007
2004528072.tif 000008
2004528072.tif 000009
2004528072.tif 000010
2004528072.tif 000011
2004528072.tif 000012
2004528072.tif 000013
2004528072.tif 000014
2004528072.tif 000015
2004528072.tif 000016
2004528072.tif 000017
2004528072.tif 000018
2004528072.tif 000019
【国際調査報告】
2004528072.tif 000020
2004528072.tif 000021
2004528072.tif 000022
2004528072.tif 000023